(57)【要約】【課題】画像表示範囲を複数に分割して設定したそれぞれの分割領域の境界部で、動画像が不連続なものとして認識されないようにする。【解決手段】入力映像信号に対応した画像を表示させる場合において、複数の画素により構成される光量変調表示部１６を配置し、入力映像信号１１を、画像表示範囲を複数に分割して設定したそれぞれの分割領域に対応させて複数個の映像信号Ｓ５に分割し、分割した各映像信号を１フレーム周期ごとに順次出力するよう制御するようにした。【選択図】図１
2007212571.tif 000002
【特許請求の範囲】
【請求項１】
入力映像信号に対応した画像を表示する映像表示装置において、
複数の画素により画像表示範囲が構成される表示部と、
前記画像表示範囲を複数に分割して設定したそれぞれの分割領域に対応させて、入力映像信号を複数個の映像信号に分割する映像分割出力部と、
前記映像分割出力部により分割された各映像信号を、１フレーム周期単位で遅延させるフレーム遅延部と、
前記表示部の画素を駆動し、隣接した分割領域に対して、前記フレーム遅延部により１フレーム周期単位で遅延されて入力される分割映像信号による画像データを書き込む駆動部とを備える
映像表示装置。
【請求項２】
請求項１記載の映像表示装置において、
入力映像信号のフレームレートをハイフレームレートに変換するフレームレート変換部を備え、
前記１フレームはハイフレームレートの１フレームであることを特徴とする
映像表示装置。
【請求項３】
入力映像信号に対応した画像を表示する映像表示装置において、
複数の画素により画像表示範囲が構成される表示部と、
画像表示範囲を複数に分割して設定したそれぞれの分割領域に対応させて、入力映像信号を複数個の映像信号に分割し、分割した各映像信号の１走査ライン単位の読み出しを、分割領域毎に正方向と逆方向に変える映像分割出力部と、
前記表示部の画素を駆動し、前記それぞれの分割領域で前記映像分割出力部が出力する分割映像信号による画像データを画素に書き込む駆動部とを備える
映像表示装置。
【請求項４】
請求項２記載の映像表示装置において、
入力映像信号のフレームレートをハイフレームレートに変換するフレームレート変換部を備え、
前記１フレームはハイフレームレートの１フレームであることを特徴とする
映像表示装置。
【発明の詳細な説明】
【技術分野】
【０００１】
本発明は、例えば、液晶表示ディスプレイ、有機ＥＬ（electro-luminescence）ディスプレイなどに適用して好適な映像表示装置に関する。
【背景技術】
【０００２】
近年、これまでディスプレイ装置の主流であったＣＲＴ（Cathode Ray Tube）に代わり、省スペース、低消費電力といった特徴を有するフラットパネルディスプレイ（以下FPDと称する）が急速に普及してきている。ＦＰＤには、液晶ディスプレイのほか、ＥＬ（Electro Luminescence）、ＶＦＤ（蛍光表示管）、ＰＤＰ(プラズマディスプレイパネル)、ＦＥＤ（電界放出ディスプレイ）などがあり、水平方向及び垂直方向の画素を固定的に配列して映像を表示させる、固定画素方式が採用されている。
【０００３】
一方で、ＦＰＤは、ＣＲＴに比べて動画表示における画質が十分でないことから、動画表示性能の向上が求められている。動画表示における問題としては、動画像が観察者にぼやけて認識される動きぼけや、多重像として認識されるジャーキネスなどが挙げられる。これらの問題は、画面切り替えの応答速度の遅さや、特に液晶ディスプレイの場合はホールド型表示であることに起因する。ホールド型表示においては、１フレーム期間中同じ画像が表示され続けるのに対し、観察者は表示された物体が動いていると判断して物体の進行方向に視点を合わせるため、実際の表示位置と視点位置とにずれが生じ、このずれが網膜に蓄積されてぼけとなって認識されてしまう。
【０００４】
上述したように、動画質劣化の原因は時間再現性の欠如にあるため、動画質劣化の改善を図るには、フレームレートを高くして時間再現性を向上させること有効な手段となる。
【０００５】
表示素子の応答速度を高め、表示素子を駆動する駆動回路の処理を高速化することによって、フレームレートの向上を図ることが可能である。この場合、表示領域を分割駆動し、それぞれの領域を並列処理する手法が考えられる。例えば、アクティブマトリクス方式の駆動回路で線順次走査がされる場合において、表示領域を上下に２分割して駆動させた場合の説明図を図１８に示してある。図１８に示すように、中央に、領域ａとｂに分割された表示領域が配置してあり、表示領域には、図示しないが表示画素を構成する画素電極が配置してある。その側面のＸ軸方向にはソースドライバ１５、Ｙ軸方向にはゲートドライバ１３が配置してある。ゲートドライバ１３には、表示駆動信号が供給され、その表示駆動信号が各ゲートラインに伝えられて、映像を表示させる素子が選択される。次にソースドライバ１５を通して画素電極に映像信号が書き込まれることで、画像が表示される。この場合、ゲートドライバ１３を領域ａとｂに対応させて２分割駆動し、同時に走査させることで、例えば６０ｆｐｓ（frame per second）表示可能な駆動回路を使用した場合でも１フレームの走査時間は１/１２０秒で済む。
【０００６】
図１９には、ゲートドライバの走査が各フレーム期間に行われる状態を示してあり、（ａ）が画面の分割駆動をしていない場合の図であり、（ｂ）が２分割して駆動させた場合の図である。横軸は時間であり、縦軸はゲートドライバ１３の位置Ｙを示してあり、Ｙ軸のプラス方向が表示領域における下方を示している。図１９では、ｎフレーム目の処理と、その前後のフレームであるｎ−１フレーム目及びｎ＋１フレーム目の処理を示してあり、例えばｎフレーム目の走査が完了した後には、走査の開始地点に再び戻り、次にｎ＋１フレーム目の走査が行われる様子が示されている。６０ｆｐｓ表示可能な素子を使用して、画面を分割せずに駆動させた場合は、図１９（ａ）に示されているように１／６０秒ごとに１フレームずつ順次走査される。これに対し図１９（ｂ）では、表示領域を２分割して同時に駆動させているため、同じデータ量を表示させる場合も走査の時間は１／２で済み、分割前に比べて２倍の１２０ｆｐｓで画像を表示させることが可能となる。
【０００７】
特許文献１には、撮像の段階で入射光を分配することによりフレームレートの高い画像を撮像し、出力時には画像信号に対応する画像の表示を制御することによって、高フレームレートの映像を表示させる手法についての開示がある。
【特許文献１】特開２００５−１３６８６８号公報
【発明の開示】
【発明が解決しようとする課題】
【０００８】
ところが、表示領域を分割して駆動させる場合、図１９（ｂ）に示すように、複数の領域（この場合は２領域）で同時に同じフレームを表示させると、動画像に劣化が生じるという問題があった。図２０を参照して説明すると、右方向に移動する車を表示する場合、分割駆動を行わない例を示す図２０（ａ）では、動く車が観察者に問題なく認識されるのに対し、２分割駆動を行った例を示す図２０（ｂ）では、車が上下に分割されて認識されてしまう。図２１（ａ）及び図２１（ｂ）に、この場合におけるゲートラインの走査が各フレーム期間に行われる状態を示してある。図２１（ａ）に示されているように、ｎフレーム目の画像が領域のａとｂとで分断されて表示されており、このため、図２１（ｂ）に示すように、ある特定の時点を示す線ｐにおいては、ｎ−１フレームの画像とｎフレームの画像が互い違いに表示されてしまい、分割された領域の境界部で、動画像が不連続なものとして認識されてしまう。なお、図２１では、ホールド型駆動を行うディスプレイを例に挙げて説明したが、パルス型駆動を行うディスプレイにおいても同様の現象が起こる。また、ここでは特に特定の時点ｐを例に挙げて説明を行ったが、どの時刻においても、分割された境界部においては異なるフレームが表示されるため、表示される動画像は不連続なものとして認識される。
【０００９】
本発明はかかる点に鑑みてなされたものであり、表示領域を分割させて駆動させる場合における、動画像の画質劣化を防ぐことを目的とする。
【課題を解決するための手段】
【００１０】
本発明は、入力映像信号に対応した画像を表示させる場合において、複数の画素により構成される表示部を配置し、入力映像信号を、画像表示範囲を複数に分割して設定したそれぞれの分割領域に対応させて複数個の映像信号に分割し、分割した各映像信号を１フレーム周期ごとに順次出力するよう制御するようにしたものである。
【００１１】
このようにしたことで、分割された画像表示領域の境界部で、動画像が不連続なものとして認識されることがなくなる。
【発明の効果】
【００１２】
本発明によると、画像表示領域の境界部をまたいで同一フレームの画像が表示されるため、境界部で動画像が不連続なものとして表示されるといった画質劣化を起こすことなく、良好な画像を表示させることが可能になる。
【００１３】
この場合、表示領域を分割駆動させているため、高フレームレートでの画像表示が可能となり、滑らかな動画像を表示させることができる。
【発明を実施するための最良の形態】
【００１４】
以下、本発明の一実施の形態を、図１〜図５を参照して説明する。
【００１５】
本例においては、アクティブマトリクス方式の液晶表示ディスプレイとして構成された映像表示装置に適用したものである。図１は、本例の映像表示装置の構成例を示すブロック図であり、表示領域を２分割して駆動させた例としたものである。光量変調表示部１６は、液晶表示ディスプレイとして構成され、ガラス基板などの透明な基板上に透明電極などが配置されて、表示エリアに複数の画素（表示素子）がマトリクス状に形成されたディスプレイであり、背面に図示されていないバックライトが配置してある。映像分割出力部１１は、入力映像信号Ｓ１から同期信号Ｓ２を分離し、走査制御部１２に供給すると共に、映像信号を、領域ａ映像信号Ｓ５ａと領域ｂ映像信号Ｓ５ｂの２つの信号に分割するようにしてある。走査制御部１２は、受信した同期信号Ｓ２からタイミング信号Ｓ３を生成し、ゲートドライバ１３及びソースドライバ１５へ供給するようにしてある。ゲートドライバ１３は、入力されたタイミング信号Ｓ３に同期させて走査信号Ｓ４を生成し、光量変調表示部１６に供給する構成としてある。
【００１６】
映像分割出力部１１にて分割された領域ａ映像信号Ｓ５ａと領域ｂ映像信号Ｓ５ｂは、領域ａ映像信号Ｓ５ａはそのままソースドライバ１５ａに入力されるのに対し、領域ｂ映像信号Ｓ５ｂは、１フレーム遅延部１４ａを介して１フレーム分遅延を加えられてから、ソースドライバ１５ｂに入力されるようにしてある。各映像信号は、ソースドライバ１５ａ及び１５ｂで領域ａ駆動信号Ｓ６ａと領域ｂ駆動信号Ｓ６ｂに変換された後、領域ａ駆動信号Ｓ６ａ、領域ｂ駆動信号Ｓ６ｂの順に、走査制御部１２より供給されるタイミング信号Ｓ３に同期をとって、光量変調表示部１６に書き込まれる。
【００１７】
図２は、本例のパネル構成の例を示す図である。図２に示すように、多数のゲートラインとデータラインとが直交するように配置してあり、各ゲートラインは、ゲートドライバ１３により駆動され、各データラインは、ソースドライバ１５により駆動される。表示領域をａとｂに上下２分割して駆動させるため、ゲートライン１〜ゲートラインｐまでを領域ａゲートドライバ１３に駆動させ、ゲートラインｐ＋１〜ゲートライン２ｐまでを領域ｂゲートドライバ１３に駆動させる構成としてある。同様に、ソースドライバ１５も領域ａと領域ｂ用に２つ設けてある。
【００１８】
ゲートドライバ１３は、各ゲートラインに走査信号Ｓ４を供給し、映像を表示させたい特定のライン上の一行分の素子を選択する。その後、ソースドライバ１５が、表示させる１ライン中の各画素の輝度に対応した画像データを出力し、１ライン単位で各画素への書き込みを行って、全てのラインの書き込みを行う。この動作がまず領域ａに対して行われ、領域ａに１フレーム遅延して領域ｂに対してなされることで、１画面内の全ての画素電極に画像データがセットされる。
【００１９】
各ゲートラインと各データラインの交点の構成について説明すると、例えば図２に示したゲートラインＧ１とソースラインＤｉとの交点に、画素３０が構成される。図２の例では、画素として電界効果トランジスタ(FET)を用いた例である。ゲートラインは、ＦＥＴ３１のゲートに接続してあり、データラインは、ＦＥＴ３１のソースに接続してあり、ＦＥＴドレインが、図示しない画素電極に接続してある。画素電極には、コンデンサ３２が接続してあり、ＦＥＴ３１が一時的にオンする電圧をゲートラインに印加するように駆動することで、電圧がコンデンサに保持され、画素電極にその電圧が印加されて画素駆動が行われる。
【００２０】
図３は、本例における画面分割駆動の例を示す図である。図３に示すように、中央に表示領域が配置してあり、領域ａと領域ｂに分割されてある。表示領域には、図示しないが表示画素を構成する画素電極が配置してあり、その側面のＸ軸方向にはソースドライバ１５、Ｙ軸方向にはゲートドライバ１３が配置してある。Ｙ軸はゲートラインの位置を示しており、各領域におけるゲートドライバ１３の走査は、すべて表示領域の上方向から下方向、つまりＹ軸のプラス方向に行われる。
【００２１】
図４は、このように構成した場合における、ゲートドライバの走査が各フレーム期間に行われる状態を示した図である。横軸は時間であり、縦軸はゲートラインの位置Ｙを示してあり、Ｙ軸のプラス方向が表示領域における下方を示している。図４において斜め右上方向に引かれた斜線は、ゲートドライバによる走査ラインの変化の軌跡を示しており、斜線ｎはｎフレーム目の走査ラインの変化の軌跡である。よって、斜線で塗りつぶされた部分は、ｎフレーム目の画像が表示されている表示領域を示す。本例の構成に拠れば、領域ａにおいてｎフレーム目の画像を表示しているときに、隣り合う領域ｂにおいては１フレーム前のｎ−１フレームが表示されるようになるため、同一フレームの画像（この場合はｎフレーム目の画像）が、表示領域ａと表示領域ｂの境界線上で分断されずに連続して表示されるようになり、表示される動画像の画質が損なわれることがなくなる。
【００２２】
図４ではホールド型駆動を行うディスプレイを例に挙げて説明したが、パルス型駆動を行うディスプレイに適用した場合でも、同様の効果が得られる。図５は、パルス型に適用した場合における、ゲートドライバの走査が各フレーム期間に行われる状態を示した図である。図の構成については図４と同様であるため説明を省略するが、図５ではパルス型駆動を行っているため、表示領域はゲートドライバによる走査ラインの変化の軌跡と同一となる。この場合も、表示領域ａと表示領域ｂとの境界線上で画像が分断されることがなくなり、表示される動画像の画質は良好なものとなる。
【００２３】
次に、本発明の第２の実施の形態を、図６〜図９を参照して説明する。この図６〜図９において、従来例として示した図１８〜図２１、並びに第１の実施の形態で示した図１〜図５に対応する部分には同一符号を付す。
【００２４】
本例においても、従来例及び第１の実施の形態で説明した、画像表示装置（アクティブマトリクス方式の液晶表示装置）に適用したものであり、表示領域を４分割して駆動させたものである。パネル構成については、画面分割数に応じてゲートドライバ及びソースドライバの数が変更となる以外は第１の実施の形態と同様であるため、説明を省略する。
【００２５】
図６は、本実施の形態の映像表示装置の構成例を示すブロック図であり、図６を参照して本例の構成を説明すると、光量変調表示部１６は、液晶表示ディスプレイとして構成され、ガラス基板などの透明な基板上に透明電極などが配置されて、表示エリアに複数の画素（表示素子）がマトリクス状に形成されたディスプレイであり、背面に図示されていないバックライトが配置してある。映像分割出力部１１は、入力映像信号Ｓ１から同期信号Ｓ２を分離し、走査制御部１２に供給すると共に、映像信号を領域ａ〜ｄ用に４つの映像信号に分割するようにしてある。走査制御部１２は、受信した同期信号Ｓ２からタイミング信号Ｓ３を生成し、ゲートドライバ１３及びソースドライバ１５へ供給するようにしてある。ゲートドライバ１３は、入力されたタイミング信号Ｓ３に同期させて走査信号Ｓ４を生成し、光量変調表示部１６に供給する構成としてある。
【００２６】
分割された信号のうち、領域ａ映像信号Ｓ５ａはそのままソースドライバ１５ａに入力されるのに対し、領域ｂ〜ｄ映像信号には、フレーム遅延部１４によりそれぞれに対応した遅延が加えられる。映像信号に加えられる遅延は、領域ｂ映像信号Ｓ５ｂには１フレーム、領域ｃ映像信号Ｓ５ｃには２フレーム、領域ｄ映像信号Ｓ５ｄには３フレームとしてあり、各映像信号は、フレーム遅延部１４により加えられた遅延の順に、走査制御部１２より供給されるタイミング信号Ｓ３に同期をとって、光量変調表示部１６に書き込まれる。
【００２７】
図７は、本例における画面分割駆動の例を示す図である。図７に示すように、中央に表示領域が配置してあり、上から領域ａ、ｂ、ｃ、ｄの４領域に分割されてある。表示領域には、図示しないが表示画素を構成する画素電極が配置してあり、その側面のＸ軸方向にはソースドライバ１５、Ｙ軸方向にはゲートドライバ１３が配置してある。Ｙ軸はゲートラインの位置を示しており、各領域におけるゲートドライバ１３の走査は、すべて表示領域の上方向から下方向、つまりＹ軸のプラス方向に行われる。
【００２８】
図８は、ゲートドライバ１３の走査が各フレーム期間に行われる状態を示した図である。横軸は時間であり、縦軸はゲートラインの位置Ｙを示してあり、Ｙ軸のプラス方向が表示領域における下方を示している。図８において斜め右上方向に引かれた斜線は、ゲートドライバによる走査ラインの変化の軌跡を示しており、斜線ｎはｎフレーム目の走査ラインの変化の軌跡である。よって、斜線で塗りつぶされた部分は、ｎフレーム目の画像が表示されている表示領域を示す。本例の構成に拠れば、領域ａにおいてｎフレーム目の画像を表示しているときに、隣り合う領域ｂにおいては１フレーム前のｎ−１フレームが表示されるようになるため、同一フレームの画像（この場合はｎフレーム目の画像）が、表示領域ａと表示領域ｂの境界線上で分断されずに連続して表示されるようになり、表示される動画像の画質が損なわれることがなくなる。
【００２９】
図８ではホールド型駆動を行うディスプレイを例に挙げて説明したが、パルス型駆動を行うディスプレイに適用した場合でも、同様の効果が得られる。図９は、パルス型に適用した場合における、ゲートドライバの走査が各フレーム期間に行われる状態を示した図である。図の構成については図７と同様であるため説明を省略するが、図９ではパルス型駆動を行っているため、表示領域はゲートドライバによる走査ラインの変化の軌跡と同一となる。この場合も、表示領域ａと表示領域ｂとの境界線上で画像が分断されることがなくなり、表示される動画像の画質は良好なものとなる。
【００３０】
このように構成することで、２４０ｆｐｓのフレームレートを得ることができ、動画像の画質をより向上させることが可能となる。
【００３１】
なお、第１の実施の形態及び第２の実施の形態では、映像分割出力部とソースドライバの間にフレーム遅延部を設け、各映像信号に遅延を発生させるようにしたが、フレームメモリを使用して映像信号を順次バッファさせ、１フレームずつ遅延させてソースドライバに入力させるようにしてもよい。この場合の構成例を、図１０のブロック図にて示してある。図１０に示すように、映像信号バッファ制御回路１７は、入力映像信号Ｓ１をｎ個の領域に分割すると共に、分割した映像信号をフレームメモリ１８に入力するようにしてある。フレームメモリ１８は、１フレームもしくは複数フレーム分の映像信号を記憶することができるようにしてあり、フレームメモリ１８に記憶された各映像信号は、映像信号バッファ制御回路１７により１フレーム周期ずつ遅延が加えられ、順次ソースドライバ１５に出力される構成としてある。このように構成することで、分割された各信号にフレーム遅延部１４を設ける構成と同様の効果が得られる。
【００３２】
また、図１１のブロック図に例示されるように、映像分割出力部１１の前にフレームレート変換部１９を設け、入力映像信号Ｓ１のフレームレートをハイフレームレートに変換させてから映像分割出力部１１に入力する構成としてもよい。入力映像信号Ｓ１が例えば６０Ｈｚである場合、フレームレート変換部により１２０Ｈｚまたは２４０Ｈｚの映像信号に変換後に画面分割駆動を行わせるよう構成すれば、より高いフレームレートでの表示を得ることができ、動画像の画質がより良好なものとなる。
【００３３】
次に、本発明の第３の実施の形態を、図１２〜図１７を参照して説明する。この図１２〜図１７において、従来例として示した図１８〜図２１、並びに第１の実施の形態で示した図１〜図５、第２の実施の形態で示した図６〜９に対応する部分には同一符号を付し、説明を省略する。
【００３４】
本例においても、従来例及び第１、第２の実施の形態で説明した、画像表示装置（アクティブマトリクス方式の液晶表示装置）に適用したものである。上述した第１及び第２の実施の形態では、表示領域を分割し、１フレーム周期ずつ遅延して駆動させた例としたが、本実施の形態では、表示領域を２分割して各領域を並行して駆動させ、ゲートドライバによる走査を、分割された各領域において逆方向に駆動させる構成した例としてある。パネル構成については、画面分割数に応じてゲートドライバ及びソースドライバの数が変更となる以外は第１及び第２の実施の形態と同様であるため、説明を省略する。
【００３５】
図１２は、本実施の形態の映像表示装置の構成例を示すブロック図である。光量変調表示部１６は、液晶表示ディスプレイとして構成され、ガラス基板などの透明な基板上に透明電極などが配置されて、表示エリアに複数の画素（表示素子）がマトリクス状に形成されたディスプレイであり、背面に図示されていないバックライトが配置してある。映像信号バッファ制御回路２０は、入力映像信号Ｓ１から同期信号Ｓ２を分離し、走査制御部１２に供給すると共に、映像信号を領域ａ映像信号Ｓ５ａと領域ｂ映像信号Ｓ５ｂに分割するようにしてある。走査制御部１２は、受信した同期信号Ｓ２からタイミング信号Ｓ３を生成し、ゲートドライバ１３及びソースドライバ１５へ供給するようにしてある。ゲートドライバ１３は、入力されたタイミング信号Ｓ３に同期させて走査信号Ｓ４を生成し、光量変調表示部１６に供給する構成としてある。
【００３６】
分割された映像信号は共にフレームメモリ１８に入力され、映像信号バッファ制御回路２０によって、領域ａ映像信号Ｓ５ａは正方向に、領域ｂ映像信号Ｓ５ｂは逆方向に読み出されるよう制御されて、同時にソースドライバ１５へ出力されるようにしてある。ソースドライバ１５に入力された各映像信号は、走査制御部１２より供給されるタイミング信号Ｓ３に同期をとって、光量変調表示部１６に書き込まれる。
【００３７】
図１３は、本例における画面分割駆動の例を示す図である。図１３に示すように、中央に表示領域が配置してあり、上から領域ａ、領域ｂに分割されてある。表示領域には、図示しないが表示画素を構成する画素電極が配置してあり、その側面のＸ軸方向にはソースドライバ１５、Ｙ軸方向にはゲートドライバ１３が配置してある。Ｙ軸はゲートラインの位置を示しており、ゲートドライバ１３の走査は、領域ａにおいては画面の上方向から下方向に成されるのに対し、領域ｂにおいては下方向から上方向になされる。
【００３８】
図１４は、ゲートドライバの走査が各フレーム期間に行われる状態を示した図である。横軸は時間であり、縦軸はゲートラインの位置Ｙを示してあり、Ｙ軸のプラス方向が表示領域における下方を示している。図１２において斜め右上方向に引かれた斜線は、ゲートドライバによる走査ラインの変化の軌跡を示しており、斜線ｎはｎフレーム目の走査ラインの変化の軌跡である。よって、斜線で塗りつぶされた部分は、ｎフレーム目の画像が表示されている表示領域を示す。領域ａと領域ｂにおいて走査の方向を逆に駆動させ、同時に走査させることで、１つのフレームを構成する画像が、表示領域ａと表示領域ｂとの境界線上で分断されずに連続して表示されるようになり、表示される動画像の画質が損なわれることがなくなる。
【００３９】
図１４ではホールド型駆動を行うディスプレイを例に挙げて説明したが、パルス型駆動を行うディスプレイに適用した場合でも、同様の効果が得られる。図１５は、パルス型に適用した場合における、ゲートドライバの走査が各フレーム期間に行われる状態を示した図である。図の構成については図１４と同様であるため説明を省略するが、図１５ではパルス型駆動を行っているため、表示領域はゲートドライバによる走査ラインの変化の軌跡と同一となる。この場合も、表示領域ａと表示領域ｂとの境界線上で画像が分断されることがなくなり、表示される動画像の画質は良好なものとなる。
【００４０】
なお、本例では表示領域を２分割して駆動させるようにしたが、４分割して駆動させてもよい。即ち、映像信号を４分割してフレームメモリに入力後、分割された４つの映像信号を、それぞれ互い違いの方向で読み出す制御を行い、ソースドライバに出力するようにすればよい。この場合のゲートドライバの走査が各フレーム期間に行われる状態を図１６及び図１７に示してある。図１６はホールド型駆動を行うディスプレイに適用した例であり、図１７はパルス型ディスプレイに適用した例をしめしてある。２分割駆動をさせた場合と同様に、分割された表示領域間の境界線上で画像が分断されることがなくなり、連続して表示されるため、表示される動画像の画質劣化を防ぐことが可能となる。
【００４１】
このように構成することで、第１の実施の形態及び第２の実施の形態と比べて、フレーム遅延量が少なくなるため、より少ないフレーム量での映像表示が可能となり、データを保存するディスクの容量を削減できるため、低コスト化を図ることができる。ただし、動画像の画質は第１の実施の形態及び第２の実施の形態の方が良好となるため、動画像の画質を重視する場合は、第１の実施の形態及び第２の実施の形態を採用することが好ましい。
【００４２】
なお、ここまで説明した実施の形態では、液晶表示ディスプレイに適用した例として説明したが、固定画素方式のディスプレイであれば、ＥＬ、ＶＦＤ、ＰＤＰ、ＦＥＤなどにも適用可能であり、また、ＤＭＤ（Digital Micromirror Device）やＧＬＶ（Grating Light Valve）などの素子を使用した投射型の投射装置や、ＳＸＲＤ（Silicon X-tal Reflective Display）やＬＣＯＳ（Liquid Crystal On Silicon）などの反射型液晶ディスプレイを使用した反射型の投射装置、さらに透過型の投射装置にも適用可能である。また、図示されていないが、必要に応じてガンマ補正、ユニフォーミティ補正等の補正処理を追加してもよい。
【００４３】
また、上述した実施の形態では、アクティブマトリクス方式の駆動回路で線順次走査がされる場合を例に挙げ説明を行ったが、単純マトリクス方式による駆動回路にも適用可能であり、点順次走査方式の駆動走査方式にも適用可能である。
【００４４】
また、ホールド型駆動を行うディスプレイに適用した場合は、上述した実施の形態で説明した手法と「黒挿入駆動」の手法を併用してもよい。黒挿入駆動とは、表示画像データ間に黒データを挿入して残像感を低減し、動画の応答性を改善する手法であるが、この手法を併用することにより、分割された各領域の境界部以外の領域における動画像の画質向上も図ることができる。
【図面の簡単な説明】
【００４５】
【図１】本発明の第１の実施の形態による映像表示装置の構成例を示すブロック図である。
【図２】本発明の第１の実施の形態による表示パネルの例を示す構成図である。
【図３】本発明の第１の実施の形態による画面分割駆動の例を示す説明図である。
【図４】本発明の第１の実施の形態による各フレーム期間の走査の例を示す説明図である。
【図５】本発明の第１の実施の形態による各フレーム期間の走査の例を示す説明図である。
【図６】本発明の第２の実施の形態による映像表示装置の構成例を示すブロック図である。
【図７】本発明の第２の実施の形態による画面分割駆動の例を示す説明図である。
【図８】本発明の第２の実施の形態による各フレーム期間の走査の例を示す説明図である。
【図９】本発明の第２の実施の形態による各フレーム期間の走査の例を示す説明図である。
【図１０】本発明の実施の形態の変形例による構成例を示すブロック図である。
【図１１】本発明の実施の形態の変形例による構成例を示すブロック図である。
【図１２】本発明の第３の実施の形態による映像表示装置の構成例を示すブロック図である。
【図１３】本発明の第３の実施の形態による画面分割駆動の例を示す説明図である。
【図１４】本発明の第３の実施の形態による各フレーム期間の走査の例を示す説明図である。
【図１５】本発明の第３の実施の形態による各フレーム期間の走査の例を示す説明図である。
【図１６】本発明の第３の実施の形態の変形例による各フレーム期間の走査の例を示す説明図である。
【図１７】本発明の第３の実施の形態の変形例による各フレーム期間の走査の例を示す説明図である。
【図１８】従来の画面分割駆動の例を示す説明図である。
【図１９】従来の各フレーム期間の走査の例を示す説明図である。
【図２０】従来の動画像の表示例を示す説明図である。
【図２１】従来の各フレーム期間の走査の例を示す説明図である。
【符号の説明】
【００４６】
１１…映像分割出力部、１２…走査制御部、１３…ゲートドライバ、１４…フレーム遅延部、１５…ソースドライバ、１６…光量変調表示部、１７、２０…映像信号バッファ制御回路、１８…フレームメモリ、１９…フレームレート変換部、３０…画素、３１…電界効果トランジスタ、３２…コンデンサ、ａ〜ｄ…表示領域、Ｓ１…入力映像信号、Ｓ２…同期信号、Ｓ３…タイミング信号、Ｓ４…走査信号、Ｓ５…映像信号、Ｓ６…駆動信号
【図１】
2007212571.tif 000003
【図２】
2007212571.tif 000004
【図３】
2007212571.tif 000005
【図４】
2007212571.tif 000006
【図５】
2007212571.tif 000007
【図６】
2007212571.tif 000008
【図７】
2007212571.tif 000009
【図８】
2007212571.tif 000010
【図９】
2007212571.tif 000011
【図１０】
2007212571.tif 000012
【図１１】
2007212571.tif 000013
【図１２】
2007212571.tif 000014
【図１３】
2007212571.tif 000015
【図１４】
2007212571.tif 000016
【図１５】
2007212571.tif 000017
【図１６】
2007212571.tif 000018
【図１７】
2007212571.tif 000019
【図１８】
2007212571.tif 000020
【図１９】
2007212571.tif 000021
【図２０】
2007212571.tif 000022
【図２１】
2007212571.tif 000023